(57)【要約】      （修正有）【課題】微小部品収納用ポケットとテープ送りのための係合部との位置関係が厳密に規制され、極微細な電子部品の収納および取り出しにおいても、部品の落下等のトラブルを大幅に抑制することのできるキャリアテープの製造方法を提供する。【解決手段】帯状樹脂テープに、部品収納用ポケット２と位置決め用ポスト５を形成する成形工程と、位置決め用ポストを用いて位置決めをした状態で帯状テープを搬送し、次工程において位置決め用ポストの位置にスプロケットホール３を穿設することを特徴とするキャリアテープの製造方法。【選択図】図１
2011136715.tif 000002
【特許請求の範囲】
【請求項１】
帯状樹脂テープに、部品収納用ポケットと位置決め用ポストを形成する成形工程と、位置決め用ポストを用いて位置決めをした状態で帯状テープを搬送し、次工程において位置決め用ポストの位置にスプロケットホールを穿設することを特徴とするキャリアテープの製造方法。
【請求項２】
前記成形工程において、部品収納用ポケットがキャリアテープの上面に対して凹状に形成されるのに対して、位置決め用ポストが凸状に形成されている請求項１に記載のキャリアテープの製造方法。
【請求項３】
成形工程の前記次工程において、スプロケットホールを穿設すると同時に部品収納用ポケット底面の中央部にセンターホールを穿設することを特徴とする請求項１または請求項２に記載のキャリアテープの製造方法。
【請求項４】
前記成形工程が真空ロータリー成形である請求項１〜３のいずれか１項に記載のキャリアテープの製造方法。
【請求項５】
前記真空ロータリー成形に於いて、部品収納用ポケットが雄型成形により形成され、位置決め用ポストが雌型成形により形成される請求項４に記載のキャリアテープの製造方法。
【発明の詳細な説明】
【技術分野】
【０００１】
本発明は、真空成形によるエンボスキャリアテープ、特に微少エンボスのキャリアテープの製造方法に関するものである。
【背景技術】
【０００２】
電子部品等を実装機に搬送する手段として、テープ状基材に部品収納用ポケットが形成されたキャリアテープが広く用いられている。キャリアテープの基材としては、その表面を帯電防止処理または、導電性を付与した熱可塑性樹脂基材が用いられるようになってきている。ＩＣチップ等の電子部品は、従来は、例えば図４に示すようなキャリアテープに収納されて搬送される。
【０００３】
この場合キャリアテープにおいては、図４からも明らかなように、当該キャリアテープの長手方向に沿って電子部品を収納するための部品収納用ポケット２が一定間隔で形成されている。またキャリアテープには、当該キャリアテープの長手方向に沿って所定ピッチでスプロケットホール（送り穴）３が穿設されている。これによりこのキャリアテープの成形においては、成形機にスプロケットホール３と同じピッチで送りピン２２が設けられてなるスプロケット２１を用いて、そのスプロケットホール３を基準として、長手方向に所定ピッチで順次走行駆動させる。
【０００４】
かかるキャリアテープは、例えば熱可塑性樹脂テープを加熱成形加工することによりその長手方向に沿って一定間隔で部品収納用ポケット２を順次成形した後、次の別工程でこれら成形された部品収納用ポケット２を基準としてスプロケットホール３を一定間隔で順次穿設するようにして製造されているため両者のずれが生じ易く、部品収納用ポケット２とスプロケットホール３間の相対的位置精度を高めることが困難であり、各部品収納用ポケット２に電子部品を収納し、又は各部品収納用ポケット２から電子部品を取り出す操作を精度良く行えず、電子部品を吸着保持するピックアップから電子部品が落下する等の不都合を生じる問題があった。部品収納用ポケット２の成形とスプロケットホール３の穿設を、同じ工程で同時に行えば、両者の相対的位置精度は向上するが、プレス成形機で用いられるこのような方法では、近年の電子部品の微小化に伴う、部品収納用ポケットに求められる精密な内部形状を形成するのは困難であった。
【０００５】
これらの不具合を解消する目的で、図５に示したように、部品収納用ポケット２と、図４に於けるスプロケットホール３に相当する係合部６を同時に成形して設けることが提案されている（特許文献１および２参照）。これらのキャリアテープでは、部品収納用ポケット２と係合部６を同時に成形することから、これらの相対的位置関係は、従来のスプロケットホール３によるものより大幅に改善され、係合部６は対応した送りピン２２によって電子部品の収納および取り出しの操作を、ある程度は高精度に行うことができるが、係合部６と成形機の送りピン２２の十分な嵌合精度が要求されるばかりでなく、現状のテーピング機、チップマウンター機の送り機構には対応しておらず、汎用的に使用することができない。
【０００６】
さらに、近年部品サイズが著しく小さくなり、１００５サイズ（長辺寸法；１．０ｍｍ、短辺寸法；０．５ｍｍ）以下の微細部品、例えば０４０２サイズ（長辺寸法；０．４ｍｍ、短辺寸法；０．２ｍｍ）、０６０３サイズ（長辺寸法；０．６ｍｍ、短辺寸法；０．３ｍｍ）などが出現しつつある。このような極微細な電子部品の収納および取り出しをトラブルなく行うには、前記のようなキャリアテープでも不十分であった。
【先行技術文献】
【特許文献】
【０００７】
【特許文献１】特許第４０９３４３６号公報
【特許文献２】特開２００２−３４７７１０号公報
【発明の概要】
【発明が解決しようとする課題】
【０００８】
本発明は、微小部品収納用ポケットとテープ送りのための係合部との位置関係が厳密に規制され、前記のような極微細な電子部品の収納および取り出しにおいても、部品の落下等のトラブルを大幅に抑制することのできるキャリアテープの製造方法を提供することを課題とする。
【課題を解決するための手段】
【０００９】
本発明者等は、前記課題を解決するために鋭意検討した結果、以下のようにして成形したキャリアテープを用いることによって、電子部品の収納および取り出しでのトラブル発生が著しく抑制されることを見出し、本発明に至った。
即ち本発明は、帯状樹脂テープに、部品収納用ポケットと位置決め用ポストを形成する成形工程と、位置決め用ポストを用いて位置決めをした状態で帯状テープを搬送し、次工程において位置決め用ポストの位置にスプロケットホールを穿設することを特徴とするキャリアテープの製造方法である。前記成形工程において、部品収納用ポケットがキャリアテープの上面に対して凹状に形成されるのに対して、位置決め用ポストが凸状に形成されていることが好ましい。
一方で、部品収納用ポケット底面の中央部にセンターホールを有するキャリアテープの場合には、次工程のスプロケットホールを穿設する工程にて同時にセンターホールの穿設を行うことが好ましい。
また本発明の製造方法は、真空ロータリー成形法において極めて有効であり、更に部品収納用ポケットが雄型成形により形成され、位置決め用ポストが雌型成形により形成される成形方法が好ましい。
【発明の効果】
【００１０】
本発明の製造方法によって、微小部品収納用ポケットとテープ送りのための係合部との位置関係が厳密に規制されており、極微細な電子部品の収納および取り出しにおいても、部品の落下等のトラブルを大幅に抑制することのできるキャリアテープを得ることができる。
【図面の簡単な説明】
【００１１】
【図１】本発明のキャリアテープの成形過程の一例を示す斜視図である。
【図２】ロータリー式雄型真空成形機の構成を示す概念図である。
【図３】雄型ロータリー用金型の断面図である。
【図４】従来のキャリアテープの構成を示す斜視図、側面図、断面図である。
【図５】係合部を用いた従来技術のキャリアテープの構成を示す斜視図、側面図、および断面図である。
【発明を実施するための形態】
【００１２】
本発明のキャリアテープの製造方法について説明する。
本発明の成形方法は、少なくとも成形工程と穿設工程を有する成形方法であって、成形工程において、部品収納用ポケットと位置決め用ポストを同時に成形し、次の穿設工程において、位置決め用ポストの位置にスプロケットホールを形成することを特徴とするものである。用いる成形機としては、ロータリー真空成形機、プレス成形機、圧空成形機などが挙げられる。微小部品収納用キャリアテープの製造には、間欠式成形方式ではなく、連続式成形方式であり、テープ基材上での成形工程間のピッチズレが発生し難い点からロータリー真空成形が好ましく、更にその中でも部品収納用ポケットの精密な内部形状を形成することが可能であることから、雄型金型を用いた雄型ロータリー真空成形が好ましい。
【００１３】
本発明の成形工程を、本発明の成形方式の一例である雄型ロータリー真空成形について示した図２および図１を例にとって説明する。
スリットした樹脂テープ１（図２）を、予備加熱用装置２３によって予熱し、その後加熱装置２４にて成形温度に加熱し、成形金型装置２６によって部品収納用ポケット部２（図１）と位置決め用ポスト５を形成し、冷却器２７によって冷却し、位置決め用ポスト５を用いて部品収納用ポケット２との相対位置を厳密に規制した状態で穿設し、巻取機２８で巻き取ることでキャリアテープが成形される。具体的には、まず、樹脂テープを予備加熱する。予備加熱における加熱手段としては、マスキングプレートを使用したインフラヒータ（赤外線ヒータ）、熱風ブロー等の間接加熱方式、ヒートバーを樹脂テープに接触させる直接加熱方式などが挙げられる。このような加熱手段によれば、所定とする場所のみを加熱することができる。
次いで、樹脂テープを成形金型に一定量移送する。樹脂テープの移送方法としては、例えば、エアフィーダ、グリッパーフィーダ、ロールフィーダなどを用いる方法が挙げられるが、テープが巻き取られているリールを金型の回転速度に同期させるように繰り出す機構があれば、上記方法を用いなくても良い。
次いで、樹脂テープにおける金型の雄型部に接する部分（以下、金型接触部という。）を、加熱装置を用いて、成形金型の反対側から再度、成形直前まで加熱する。その加熱装置としては、上記予備加熱と同じ加熱手段を用いることができる。
【００１４】
次いで、樹脂テープ１を成形金型装置２６に移動させる。図３に示した成形金型で、真空孔２６３を介して真空引きして、樹脂テープ１の一部を型入れ子（雄型）２６２およびおよび位置決め用ポスト成形孔２６１に密着させ、それぞれ部品収納用ポケット２と位置決め用ポスト５を備えたキャリアテープが成形される。即ち本発明の図３に示した一例においては、成形用金型装置２６は、部品収納用ポケット２を賦形するための雄型形状の型入れ子２６２と、位置決め用ポスト５を賦形するための位置決め用ポスト成形孔２６１を有している。加熱された樹脂テープが金型上で、同時に凹状の部品収納用ポケット２と、凸状の位置決め用ポスト５を賦形することにより、金型精度に即した部品収納用ポケット２と位置決め用ポスト５の相対的位置精度の高いキャリアテープが得られる。部品収納用ポケット２は、部品が収納されるポケット内側が金型寸法精度で規制される雄型成形を用いる方が好ましく、これにより、精密な内部形状を形成することが可能となる。位置決め用ポスト５は、ポスト用搬送子２２１にはめ込む外側寸法精度が要求されるため、ポスト外側が金型寸法精度で規制される雌型成形を用いることが好ましい。
このようにして成形したキャリアテープを、次の穿設工程でスプロケットホール３を形成し冷却することを連続して繰り返すことにより、部品収納用ポケット２と位置決め用ポスト５が、長さ方向に沿って多数形成されたエンボスキャリアテープを得ることができる。
【００１５】
前記の方法で成形したキャリアテープは、成形工程の途中で、従来型キャリアテープのスプロケットホール位置に、凸状の位置決め用ポスト５が形成されているのが特徴の一つである。この位置決め用ポスト５は、直径が０．５０〜１．５５ｍｍの円柱状もしくは側面が底面に対して垂直方向に対して１０度未満の円錐台形状であることが好ましく、このロータリー真空成形では、長手方向に一列に、高精度の一定間隔で複数形成することができる。
また同時に成形される部品収納用ポケットのサイズは、特に限定されるものではないが、通常キャリアテープ長手方向の長さが０．１〜３．５ｍｍ、キャリアテープ短手方向の長さが０．１〜４．０ｍｍで、深さが０．１〜２．０ｍｍのキャリアテープに適応する。このキャリアテープは、位置決め用ポスト５を基準とし、図１に示したような、位置決め用ポスト５と密着して嵌合する２以上の凹部を有するポスト用搬送子２２１を用いて穿設工程に搬送し、その後ポスト用搬送子２２１を取り除き、穿設位置と部品収納用ポケット２の位置を厳密に規制された状態でポスト用搬送子２２１の位置で穿設が行われる。
このようにして、図４に示した従来型のキャリアテープと比較して、スプロケットホール３と部品収納用ポケット２との相対的位置精度が極めて高いキャリアテープを得ることができる。また、部品収納用ポケット２の底部センターにセンターホール４を設ける場合は、前記の穿設工程において、スプロケットホール３と同時に穿設することによって、同様に高い位置精度を有するセンターホール４を形成することができる。
【実施例】
【００１６】
本発明を、実施例を用いてより具体的に例示するが、本発明はこの実施例に記載された内容によって限定されるものではない。
（実施例１）
０６０３サイズのセラミックコンデンサ用のエンボスキャリアテープを以下のようにして製造した。
まず、プラスチック基材であるカーボン練り込みタイプの導電性ＰＣ系シート（厚み；０．１５ｍｍ）を、予備加熱装置で１００℃に予備加熱した。次いで、予備加熱したＰＣ系シートを、図３に示した構造の位置決め用ポスト成形孔を有した成形金型に移送し、ＰＣ系シートの金型接触部を、該金型の反対側から加熱装置（熱風ブロー）により再度加熱した（熱風温度；６００℃）。その後、金型の真空孔を介して真空引きしながら、金型の雄型部とＰＣ型シートとを密着させ、５ｍ／ｍinで部品収納用ポケットと位置決め用ポストを形成した。その後、図１に示した形状のポスト用搬送子で位置精度良くポストを固定した状態で穿設工程を行うことで、部品収納用ポケットと、スプロケットホールと、センターホールの位置精度に優れたキャリアテープを得た。得られたエンボスキャリアテープは、各部品収納用ポケット間の間隔は４ｍｍで、部品収納用ポケットの大きさが、長辺寸法；０．７６ｍｍ、短辺寸法；０．３８ｍｍ、深さ０．４０ｍｍで、スプロケットホールの直径は１．５５ｍｍである。
（比較例１）
位置決め用ポスト成形孔の無い成形金型を用いた以外は、実施例１と同様にしてキャリアテープを得た。
【００１７】
（実装不良率の評価方法）
実施例および比較例で得られたエンボスキャリアテープを以下のようにして評価した。
実装機（高速モジュラータイプ、装着精度±０．０５ｍｍ／チップ）を用い、装着タクト０．１０秒／チップで、エンボスキャリアテープの部品収納用ポケットに収納したセラミックコンデンサ０６０３を１万個実装した。その際の実装エラー率を下記の式によって求めた。実装されなかったセラミックコンデンサは、部品収納部に所定の配置で収納されていなかったものである。したがって、実装不良率は、エンボスキャリアテープの部品収納部に、所定の配置で収納されていなかったセラミックコンデンサ数と対応している。評価結果を表１に示す。
実装不良率＝［（実装されなかったセラミックコンデンサ数）／（全セラミックコンデンサ数）］×１００００００（ｐｐｍ）
【００１８】
【表１】
2011136715.tif 000003
【符号の説明】
【００１９】
１．   樹脂テープ
２．   部品収納用ポケット
３．   スプロケットホール
４．   センターホール
５．   位置決め用ポスト
６．   係合部
２１．  スプロケット
２２．  送りピン
２２１．ポスト用搬送子
２３．  予備加熱用装置
２４．  加熱装置
２５．  ドラム
２６．  成形金型装置（雄型）
２６１．位置決め用ポスト成形孔
２６２．型入れ子（雄型）
２６３．真空孔
２７．  冷却器
２８．  巻取機
【図１】
2011136715.tif 000004
【図２】
2011136715.tif 000005
【図３】
2011136715.tif 000006
【図４】
2011136715.tif 000007
【図５】
2011136715.tif 000008